(57)【要約】      （修正有）【課題】簡便に鮮度保持でき、店頭等で花束を入れてお客等に渡す際に使用されるのに好適で、かつ水漏れのおそれが少なく、リサイクルも可能な鮮度保持用袋を提供する。【解決手段】鮮度保持用袋１は、一端開口部２側から花き類の茎端部３が挿入される袋本体４と、この袋本体４の長手方向の中央部に花き類の茎端部３が挿入される方向と交差し、かつ両側に連通孔５,５を有する第１仕切部６と、この第１仕切部６の開口部２側とは反対側に袋本体６を横断する、第１仕切部６とほぼ平行に形成された第２仕切部７とを有する。第２仕切部７と第１仕切部６とによって形成される空間を水収容部９としている。花き類の茎端部３が第１仕切部６に当接可能であるとともに、第１仕切部６を折り目として袋本体４が折り返されたときに、連通孔５を介し水収容部９の水が筒部４中央側に移動可能となり、袋本体４の開口部２側と反対側にまたがって水が収容される。【選択図】図２
2006044722.tif 000002
【特許請求の範囲】
【請求項１】
柔軟性を有する非透水性シートで細長い筒状に形成されて内部に水を収容可能であり、一端開口部側から花き類の茎端部が挿入される袋本体と、
前記袋本体における長手方向の中間位置に、前記花き類が挿入される方向と交差して、かつ前記開口部側の第１領域とその開口部とは反対側の第２領域とに前記袋本体を水の連通部を残して仕切り、前記挿入される花き類の茎端部を当接させるとともに、前記開口部側の第１領域と開口部とは反対側の第２領域との間の水の流通を前記連通部において許容する仕切部と、を含み、
挿入される花き類の茎端部が前記仕切部に当接可能であるとともに、前記仕切部を折り目として前記袋本体が折り返されたときに、前記連通部を介して前記袋本体に収容された水が前記仕切部の連通部を経て移動可能とされ、折り返される袋本体の前記仕切部を底部として袋本体の前記第１領域と第２領域とにまたがって水が収容可能であることを特徴とする鮮度保持用袋。
【請求項２】
筒状の非透水性シートの相対向する筒面が相互に近づくようにその筒面を折込み形成された谷折り部を有して細長く形成されて内部に水を収容可能であり、一端開口部側から花き類の茎端部が挿入される袋本体と、
前記袋本体における長手方向の中間位置に、前記花き類が挿入される方向と交差して、かつ前記開口部側の第１領域とその開口部とは反対側の第２領域とに前記袋本体を水の連通部を残して仕切り、前記挿入される花き類の茎端部を当接させるとともに、前記開口部側の第１領域と開口部とは反対側の第２領域との間の水の流通を前記連通部において許容する仕切部と、を含み、
挿入される花き類の茎端部が前記仕切部に当接可能であるとともに、前記仕切部を折り目として前記袋本体が折り返されたときに、前記連通部を介して前記袋本体に収容された水が前記仕切部の連通部を経て移動可能とされ、折り返される袋本体の前記仕切部を底部として袋本体の前記第１領域と第２領域とにまたがって水が収容可能であることを特徴とする鮮度保持用袋。
【請求項３】
前記一端開口部側の前記第１領域とは反対側の前記第２領域において、前記仕切部に連設されて前記袋本体をその仕切部を含んで袋状に閉鎖する閉鎖部が形成されることにより、前記連通部を前記第１領域側に対する開口として形成された水のポケット部を備えたことを特徴とする請求項１又は２に記載の鮮度保持用袋。
【請求項４】
前記一端開口部側の前記第１領域とは反対側の前記第２領域において、前記仕切部に連設されて前記袋本体をその仕切部を含んで袋状に閉鎖する閉鎖部が形成されることにより、前記連通部を前記第１領域側に対する開口として形成された水のポケット部を備え、
かつ前記仕切部の連通部は、前記水のポケット部の第１領域側に対する開口となる第１連通部と、前記仕切部を挟んで前記第１領域と第２領域との間で水の流通を許容する第２連通部とを含み、
また、前記茎端部が挿入される一端開口部とは反対側の袋本体端部は水の流通が可能な開放端部とされており、
前記第1連通部から前記ポケット部に水が収容され、挿入される花き類の茎端部が前記仕切部に当接可能可能であるとともに、前記仕切部を折り目として前記袋本体が折り返されたとき、前記第２領域にある水のポケット部に収容される水が前記第1連通部を介して前記第１領域側に移動可能とされ、折り返される袋本体の前記仕切部を底部として袋本体の前記水のポケット部と前記第1領域とにまたがって水が収容可能とされたことを特徴とする請求項１ないし３のいずれか1項に記載の鮮度保持用袋。
【請求項５】
前記一端開口部側の前記第１領域とは反対側の前記第２領域において、前記袋本体の端部に設けられ、前記閉鎖部との間で閉空間部を形成する端部仕切部を含むことを特徴とする請求項１ないし４のいずれか１項に記載の鮮度保持用袋。
【請求項６】
前記仕切部を折り目として前記袋本体が折り返された状態で、前記袋本体の重ね合わされた両端部が結束部材で結束されることを特徴とする請求項１ないし５のいずれか１項に記載の鮮度保持用袋。
【発明の詳細な説明】
【技術分野】
【０００１】
本発明は、花き類の鮮度を保持する鮮度保持用袋に関し、特に店頭等で花束を入れてお客等に渡す際に使用されたり、輸送時に使用できる鮮度保持用袋に関する。
【背景技術】
【０００２】
従来、店頭等においては、花束の鮮度を保持する目的で吸水材（例えばスポンジ、不織布等）に水を含ませて、花束の切茎を当て、これをアルミホイル等で水漏れしないように包みお客等に渡しているのが一般的である。このような鮮度保持の提案として、例えば特許文献１がある。
【０００３】
【特許文献１】特開平８−２８０２５８号公報
【発明の開示】
【発明が解決しようとする課題】
【０００４】
しかしながら、このような鮮度保持のための包装は手間がかかり、店頭でお客を待たせないためにも、簡便に包装ができることが望まれていた。また、資源リサイクルの面からみて、この方法では持ち帰ったお客の側で、使用済みのそれら包装材料を廃棄処分するときに、処分するのに適したものではなかった。
【０００５】
本発明は上記した背景をもとになされたもので、簡便に鮮度保持でき、店頭等で花束を入れてお客等に渡す際に使用されるのに好適で、かつ水漏れのおそれが少なく、リサイクルも可能な鮮度保持用袋を提供することを課題とする。
【課題を解決するための手段及び発明の効果】
【０００６】
上記課題を解決するために本発明鮮度保持用袋は、柔軟性を有する非透水性シートで細長い筒状に形成されて内部に水を収容可能であり、一端開口部側から花き類の茎端部が挿入される袋本体と、
袋本体における長手方向の中間位置に、花き類が挿入される方向と交差して、かつ開口部側の第１領域とその開口部とは反対側の第２領域とに袋本体を水の連通部を残して仕切り、挿入される花き類の茎端部を当接させるとともに、開口部側の第１領域と開口部とは反対側の第２領域との間の水の流通を連通部において許容する仕切部と、を含み、
挿入される花き類の茎端部が仕切部に当接可能であるとともに、仕切部を折り目として袋本体が折り返されたときに、連通部を介して袋本体に収容された水が仕切部の連通部を経て移動可能とされ、折り返される袋本体の仕切部を底部として袋本体の第１領域と第２領域とにまたがって水が収容可能であることを特徴とする。
【０００７】
上記本発明の鮮度保持用袋は、花き類が挿入される方向と交差するように袋本体に仕切部が形成され、この仕切部を折り目として袋本体が折り返され、連通部を介し水が移動可能な構成としており、仕切部で花き類の茎端部が止まり、花き類の挿入の際にどこまで挿入すればよいか位置が決め易いとともに、仕切部は折り返しの際の目印となり、折り曲げもし易く、折り曲げた後、例えば袋本体の重ね合わされた両端部を結束部材で結束すれば簡便に鮮度保持のための包装が可能である。また、袋本体が折り返され、袋本体中央に水が移動することになり、水深が半分となり袋本体を手で持ったときに袋本体端部から水が漏れ出すことを抑えることができるとともに、半分の高さになり袋の長さも短かくできる。さらに、仕切部（接着面）は折り返され、袋本体の仕切部が水収容底部となり、シートの腹面（中央筒面）で水を受け、水漏れのおそれが少ない。袋を構成する非透水性シートとして、例えばポリエチレン製シートなどの樹脂材料を採用でき、使用済みの袋を再生材料として利用することが可能である。仕切部は、例えば袋を構成する非透水性シートの袋本体の一部を熱溶着することにより形成できる。その際、熱量を調整し弱い接着とするのが望ましい。店頭等で花束の鮮度を保持する目的でお客に渡す際に好適な鮮度保持用袋を提供することが可能である。
【０００８】
上記課題を解決するために本発明鮮度保持用袋の第二態様は、筒状の非透水性シートの相対向する筒面が相互に近づくようにその筒面を折込み形成された谷折り部を有して細長く形成されて内部に水を収容可能であり、一端開口部側から花き類の茎端部が挿入される袋本体と、
袋本体における長手方向の中間位置に、花き類が挿入される方向と交差して、かつ開口部側の第１領域とその開口部とは反対側の第２領域とに袋本体を水の連通部を残して仕切り、挿入される花き類の茎端部を当接させるとともに、開口部側の第１領域と開口部とは反対側の第２領域との間の水の流通を連通部において許容する仕切部と、を含み、
挿入される花き類の茎端部が仕切部に当接可能であるとともに、仕切部を折り目として袋本体が折り返されたときに、連通部を介して袋本体に収容された水が仕切部の連通部を経て移動可能とされ、折り返される袋本体の仕切部を底部として袋本体の第１領域と第２領域とにまたがって水が収容可能であることを特徴とする。
【０００９】
上記第二態様の鮮度保持用袋は、谷折り部を有して袋本体が形成され、水量を多く入れることができ、長時間の鮮度保持に有効であるとともに、花の本数が多い場合に好適となる。また、仕切部で花き類の茎端部が止まり、花き類の挿入の際にどこまで挿入すればよいか位置が決め易いとともに、仕切部は折り返しの際の目印となり、折り曲げもし易く、折り曲げた後、例えば袋本体の重ね合わされた両端部を結束部材で結束すれば簡便に鮮度保持のための包装が可能である。また、袋本体が折り返され、袋本体中央に水が移動することになり、水深が半分となり袋本体を手で持ったときに袋本体端部から水が漏れ出すことを抑えことができるとともに、半分の高さになり袋の長さも短かくできる。袋を構成する非透水性シートとして、例えばポリエチレン製シートなどの樹脂材料を採用でき、使用済みの袋を再生材料として利用することが可能である。さらに、仕切部（接着面）は折り返され、袋本体の仕切部が水収容底部となり、シートの腹面（中央筒面）で水を受け、水漏れのおそれが少ない。
【００１０】
その際、一端開口部側の第１領域とは反対側の第２領域において、仕切部に連設されて袋本体をその仕切部を含んで袋状に閉鎖する閉鎖部が形成されることにより、連通部を第１領域側に対する開口として形成された水のポケット部を備えることができる。このように水のポケット部を袋本体の中間位置に形成しており、仕切部は水を注水する際に水量の目安位置を示して一定量の水が入れ易くなる。
【００１１】
また、その際、一端開口部側の第１領域とは反対側の第２領域において、仕切部に連設されて袋本体をその仕切部を含んで袋状に閉鎖する閉鎖部が形成されることにより、連通部を第１領域側に対する開口として形成された水のポケット部を備え、かつ仕切部の連通部は、水のポケット部の第１領域側に対する開口となる第１連通部と、仕切部を挟んで第１領域と第２領域との間で水の流通を許容する第２連通部とを含むのが望ましい。また、茎端部が挿入される一端開口部とは反対側の袋本体端部は水の流通が可能な開放端部とするようにできる。第1連通部からポケット部に水が収容され、挿入される花き類の茎端部が仕切部に当接可能可能であるとともに、仕切部を折り目として袋本体が折り返されたとき、第２領域にある水のポケット部に収容される水が第1連通部を介して第１領域側に移動可能とされ、折り返される袋本体の仕切部を底部として袋本体の水のポケット部と第1領域とにまたがって水が収容可能とすることができる。
【００１２】
このように閉鎖部を形成することにより、第２連通部を介し花き類が挿入される端部側と反対側の袋本体開放端部から水のポケット部へ水を入れることが可能となる。例えば水の入った容器などに、花き類が挿入される端部側と反対側の袋本体開放端部を下にして、仕切部の部分が水面下となるように浸漬した状態とし、一定時間後引き上げれば、余分な水は第２連通部を通って、その開放端部から流出し、水のポケット部に一定量の水が貯留される。この水の注入作業は多数の袋を、例えば上部に形成した袋吊下げ用の孔に棒を通した状態で水の入った容器に浸漬し、その後引き上げを行うようにすれば効率よく短時間で可能となる。
【００１３】
さらに、その際、一端開口部側の第１領域とは反対側の第２領域において、袋本体の端部に設けられ、閉鎖部との間で閉空間部を形成する端部仕切部を含むのが望ましい。このように端部仕切部が形成され、袋を折り返す際に袋本体の閉空間部を持って折り返すようにすれば、水を押さえることなく折り返しができる。また、端部仕切部は閉鎖部から水が万一漏れた場合のその水の受け部となり、外部への水の漏出を防ぐことが可能である。
【００１４】
また、その際、仕切部を折り目として袋本体が折り返された状態で、袋本体の重ね合わされた両端部を結束部材で結束するのが望ましい。このように結束部材で花き類の茎部分を挟持するように結束するようにすれば、振動や多少の傾斜状態に花束が置かれても水が流出し難いようにできる。
【発明を実施するための最良の形態】
【００１５】
（実施例１）
以下、本発明の実施の形態につき、図面に示す実施例を参照して説明する。図１は本発明の鮮度保持用袋の正面図、図２は縦断面図、図３は図１のＡ−Ａ断面図及びＢ−Ｂ断面図である。鮮度保持用袋１は、柔軟性を有しかつ水を収容可能な非透水性シート（例えばポリエチレン製シート）で形成されている。
【００１６】
鮮度保持用袋１は、細長く扁平な筒状に形成され、一端開口部２側から花き類の茎端部３が挿入される袋本体４と、この袋本体４の長手方向の中央部に花き類の茎端部３が挿入される方向と交差するようにして、かつ両側に連通孔５,５を有して形成された第１仕切部６と、この第１仕切部６の花き類の茎端部３が挿入される開口部２側（第１領域）とは反対側（第２領域）において袋本体６を横断するように、第１仕切部６とほぼ平行に形成された第２仕切部７とを有する。第１仕切部６は挿入される花き類の茎端部３を止める働きをする。
【００１７】
第２仕切部７は、袋本体４の開口部２と反対側の端部１１と第１仕切部６とのほぼ中間位置に形成される。袋本体４が折り返される前の状態において第２仕切部７を底部として第１仕切部６とによって形成される空間を水収容部９としている。従って、水収容部９は、開口部２と対向するように袋本体４の中間位置に形成される。この水収容部９は連通孔５,５を介し水が注入される開口部２と連通するようにしている。
【００１８】
第１仕切部６及び第２仕切部７は熱溶着により形成される。茎端部３を止める作用をする第１仕切部６は熱量を調節して弱い接着で形成できる。水収容部９の底部を形成する第２仕切部７は第１仕切部６よりも強い接着で形成している。このような袋は、例えば扁平筒状のポリエチレン製シートの長尺のものを使用し、型によって筒状部の所定の溶着箇所を溶着し、シートを搬送し、さらに次の溶着をして、搬送・溶着を繰り返した後、一旦巻き取り、その後所定寸法に切断する工程を経ることにより形成できる。
【００１９】
図４は鮮度保持用袋１の使用例を示す図である。袋本体４の開口部２からスポイトなどを用いて水を入れる。その際、第１仕切部６は水を注水する際の水量の目安位置を示す。次に、開口部２側から花き類の茎端部３が挿入され、茎端部３は第１仕切部６に当接し止まる（図２参照）。
【００２０】
そして、第１仕切部６（Ｘ−Ｘ線）を折り目として袋本体４の水収容部９側を折り返す（二つ折りする）。袋本体４の水収容部９側が折り返され、連通孔５,５を介し袋本体４中央側、すなわち開口部２側（第１領域）に水が移動することになり、水深が半分となる。第１仕切部６は折り返され、袋本体４の第１仕切部６が（シート中央部）が水収容底部となり、開口部２側（第１領域）と反対側（第２領域）にまたがって水が収容され、シートの腹面で水を受けることになる。折り返された状態では第２仕切部７は水収容底部ではなくなる。
【００２１】
次に、折り返された状態で、袋本体４の重ね合わされた両端部をゴム紐などの結束部材１２で結束して、包装が完了する。結束位置は折り返された状態における袋内の水の位置の上方とするのが望ましい。
【００２２】
このように、花き類の茎端部３が挿入される方向と交差するように第１仕切部６を設けており、第１仕切部６で花き類の茎端部３が止まり、花き類の挿入の際にどこまで挿入すればよいか位置が決め易いとともに、第１仕切部６は折り返しの際の目印となり、折り曲げもし易く、折り曲げた状態で結束部材１２で結束すれば簡便に鮮度保持のための包装が可能である。また、第１仕切部６とほぼ平行に第２仕切部７を設けて、水収容部９を袋本体４の中間位置に形成しており、第１仕切部６は水を注水する際に水量の目安位置を示して一定量の水が入れ易くなる。
【００２３】
また、袋本体４の水収容部９側が折り返され、連通孔５,５を介し袋本体４中央側に水が移動することになり、水深が半分となり袋本体４を手で持ったときに袋本体端部から水が漏れ出す（水の部分を手で持ったときにあふれ易い）ことを抑えることができるとともに、半分の高さになり袋の長さも短かくすることができる。さらに、第１仕切部６（接着面）は折り返され、袋本体４中央部（シート中央部）が水収容底部となり、シートの腹面（中央筒面）で水を受け、水漏れのおそれが少ない。袋を構成する非透水性シートの袋本体４の一部を熱溶着することにより形成する際、第１仕切部６（接着面）で水を受けないため、熱量を調整し弱い接着にすることができる。鮮度保持用袋１を構成する非透水性シートとして、ポリエチレン製シートなどの樹脂材料を採用でき、使用済みの袋を再生材料として利用することが可能である。このように形成された鮮度保持用袋１は、１本又は数本の切り花を収納する包装に好適である。
【００２４】
（実施例２）
図５〜図７は鮮度保持用袋の第２実施例を示す。第２実施例は水収容部に水を入れる作業を効率化できるようにした例である。図５は鮮度保持用袋の正面図、図６は縦断面図、図７は図５のＣ−Ｃ断面図及びＤ−Ｄ断面図である。鮮度保持用袋２１は、第１仕切部６の花き類の茎端部３が挿入される開口部２側（第１領域）とは反対側（第２領域）において袋本体４を横断するように、第１仕切部６とほぼ平行に袋本体４に設けられた中底部２７ａと、袋本体４の長手方向とほぼ平行でかつ一端が第１仕切部６に連設し他端が中底部２７ａに連設する側仕切部２７ｂとを有し、袋本体４の中間位置に開口部２と対向するように水収容部２９を形成する第２仕切部２７を含んでいる。第１仕切部６は袋本体４との間に間隙を有し設けられる（第１仕切部６の両側の連通孔のうちの連通孔５ｂが間隙となる）。すなわち第１仕切部６は、花き類の挿入される開口部２側と反対側の袋本体４端部開口部３１と連通する連通孔５ｂ（間隙）を有して仕切りが形成されている。また、第２仕切部２７は、第２仕切部の側仕切部２７ｂと袋本体４との間に形成される連通路３０が連通孔５ｂと連通するようにして、開口部２側（第１領域）と開口部とは反対側の袋本体４端部開口部３１との間の水の流通を連通路３０において許容するようにしている。
【００２５】
袋本体４が折り返される前の状態において第２仕切部２７（第２仕切部２７の中底部２７ａ）を底部として第１仕切部６とによって形成される空間を水収容部２９としている。この水収容部２９は、側仕切部２７ｂと袋本体４との間に形成される連通路３０によって、花き類が挿入される開口部２側と反対側の袋本体４の端部開口部３１と連通するようにしている。第１仕切部６の両側の連通孔は、一方の連通孔５ａが水収容部２９の水の出入口となるとともに、他方の連通孔５ｂが連通路３０と繋がっている。従って、袋本体４の開口部３１側から、連通孔５ｂ及び連通路３０を介して水収容部２９への水の注水、排水が可能となっている。そして、上部（茎端部３を挿入する側の上部）に袋吊下げ用孔３２を形成している。なお、図５〜図７において、図１〜図３と同一の機能を有する部分には同一の符号を付して説明を省略する。
【００２６】
図８は複数の鮮度保持用袋２１に水を入れる場合の説明図である。袋吊下げ用孔３２に棒３３を通した状態で水の入った容器３４に、袋本体４の端部開口部３１を下にして、第１仕切部６部分が水面下となるように浸漬した状態とし、一定時間後引き上げれば、余分な水は側仕切部２７ｂと袋本体４との間の連通路３０を通って、その端部開口部３１から流出し、水収容部２９に一定量の水が貯留される。そして、第１仕切部６（Ｘ−Ｘ線）を折り目として袋本体４の水収容部２９側を折り返して使用される。
【００２７】
このように、側仕切部２７ｂを有する第２仕切部２７を形成することにより、花き類の茎端部３が挿入される端部側と反対側の袋本体４の端部開口部３１から水収容部２９へ水を入れることが可能となる。多数の鮮度保持用袋２１の水入れが効率よく短時間で可能となる。
【００２８】
（変形例１）
図９は鮮度保持用袋の変形例を示す。図９（ａ）は、実施例１に次のような変形を加えている。鮮度保持用袋４１は、第１仕切部６の花き類の茎端部３が挿入される開口部２側とは反対側の袋本体４の端部において端部開口を塞ぐように第１仕切部６とほぼ平行に設けられた第３仕切部４８を有する。そして、実施例１における第２仕切部７を設けていない。従って、水収容部４９は袋本体４の下部に位置する。なお、図９（ａ）において、図２と同一の機能を有する部分には同一の符号を付して説明を省略する。第１仕切部６を折り目として袋本体４の水収容部４９側を折り返して使用される。このように構成してもよい。
【００２９】
図９（ｂ）において、鮮度保持用袋５１は、第２仕切部７の花き類が挿入される開口部２側とは反対側の袋本体４の端部において端部開口を塞ぐように、かつ第２仕切部７との間で閉空間部６０を形成するように設けられた第３仕切部５８を有する。水収容部９が袋本体４の中間位置に設けられるのは実施例１と同様である。なお、図９（ｂ）において、図２と同一の機能を有する部分には同一の符号を付して説明を省略する。第３仕切部５８を設けることにより、鮮度保持用袋５１の下端が閉じられ見栄えがよくなるとともに、袋本体４が折り返される前の状態において水収容部９の底部となる第２仕切部７から万一水漏れした場合にも閉空間部６０に水は貯留され外部への水の流出を防ぐことができる。また、折り返す際に、閉空間部６０を手で持って折り返せば、水の位置が上へ上がるのを防ぎ、水が漏れ出す（水の部分を手で持ったときにあふれ易い）ことを抑えることができる。
【００３０】
図９（ｃ）は実施例２に次のような変形を加えている。鮮度保持用袋６１は、第２仕切部２７の中底部２７ａの花き類の茎端部３が挿入される開口部２側とは反対側の袋本体４の端部において中底部２７ａとほぼ平行に設けられた底部６８ａと、袋本体４の長手方向とほぼ平行でかつ一端が中底部２７ａに連設し他端が底部６８ａに連設する側仕切部６８ｂとを有し、中底部２７ａとの間で閉空間部７０を形成するように設けられた第３仕切部６８を含んでいる。第２仕切部２７の側仕切部２７ｂと第３仕切部６８の側仕切部６８ｂとは直線的に繋がり、袋本体４との間に連通路３０が形成され、水収容部２９は、この連通路３０によって、袋本体４の端部開口部３１と連通するようにしている。なお、図９（ｃ）において、実施例２の図６と同一の機能を有する部分には同一の符号を付して説明を省略する。第３仕切部６８を設けることにより、鮮度保持用袋６１の下端が見栄えがよくなるとともに、袋本体４が折り返される前の状態において水収容部２９の底部となる中底部２７ａから万一水漏れした場合にも閉空間部７０に水は貯留され外部への水の流出を防ぐことができる。
【００３１】
なお、図９（ａ）の第３仕切部４８、図９（ｂ）の第３仕切部５８及び図９（ｃ）の第３仕切部６８は熱溶着により形成することができる。
【００３２】
（変形例２）
図１０は鮮度保持用袋の他の変形例を示す。図１０は、実施例１に次のような変形を加えている。鮮度保持用袋７１は、袋本体４の長手方向の中央部に花き類の茎端部３が挿入される方向と交差するようにして、かつ中央に連通孔７５を有し第１仕切部７６が設けられている。この第１仕切部７６と平行に第２仕切部７が形成され、第１仕切部７６と第２仕切部７とによって水収容部７９を袋本体４の中間位置に形成している。なお、図１０において、図２と同一の機能を有する部分には同一の符号を付して説明を省略する。このように連通孔７５を有する構成してもよい。第１仕切部７６を折り目として袋本体４の水収容部７９側を折り返して使用される。
【００３３】
（変形例３）
図１１〜図１２は鮮度保持用袋のさらに他の変形例を示す。図１１は実施例１に次のような変形を加えている。鮮度保持用袋８１は、袋本体４の下端部の開口を塞ぐように第１仕切部６とほぼ平行に設けられた第３仕切部８８と、袋本体の上端部の開口を塞ぐように第１仕切部６とほぼ平行に設けられた第４仕切部８２と、この第４仕切部８２から袋本体４の長手方向中央寄りに離間して第１仕切部６とほぼ平行に袋本体４の片面に設けられ、花き類の茎端部の挿入口を形成するミシン目線８３とを有する。図１２は図１１のＥ−Ｅ断面図を示し、このミシン目８３を破り開口することにより直線状の花き類茎端部の挿入口８３ａが形成される。なお、図１１及び図１２において、図１及び図３と同一の機能を有する部分には同一の符号を付して説明を省略する。第３仕切部８８と第４仕切部８２を設けることにより、鮮度保持用袋８１の下端及び上端の見栄えがよくなるとともに、袋本体４の片面に設けた挿入口８３ａから花き類の茎端部を差し込むようにしたので、差し込みの際に袋本体４の表面がガイドとなって差し込みがし易くなる。
【００３４】
（実施例３）
図１３〜図１５は鮮度保持用袋の第３実施例を示す。第３実施例は水収容部の水量を多く入れることができるようにして、鮮度保持期間を長くできるようにした例である。図１３は第３実施例の鮮度保持用袋の正面図、図１４は縦断面図、図１５は図１３のＦ−Ｆ断面図及びＧ−Ｇ断面図である。
【００３５】
鮮度保持用袋１０１は、筒状の非透水性シート（例えばポリエチレン製シート）の相対向する筒面が相互に近づくようにその筒面を折込み形成された谷折り部１０２を有し細長く扁平に形成され、一端開口部１０３側から花き類の茎端部３が挿入される袋本体１０４と、この袋本体１０４の長手方向の中央部に花き類の茎端部３が挿入される方向と交差するようにして、かつ両側に連通孔１０５,１０５を有して形成された第１仕切部１０６と、この第１仕切部１０６の花き類の茎端部３が挿入される開口部１０３側（第１領域）とは反対側（第２領域）において袋本体１０４を横断するように、第１仕切部１０６とほぼ平行に形成された第２仕切部１０７とを有する。第１仕切部１０６は挿入される花き類の茎端部３を止める働きをする。
【００３６】
袋本体１０４は、谷折り部１０２を間にして両側のシートが積層状態で形成された形態をなしている（図１５参照）。第２仕切部１０７は、袋本体１０４の開口部１０３と反対側の端部１１１と第１仕切部１０６とのほぼ中間位置に形成される。この第２仕切部１０７と第１仕切部１０６とによって形成される空間を水収容部１０９としている。従って、水収容部１０９は、開口部１０３と対向するように袋本体１０４の中間位置に形成され、連通孔１０５,１０５を介し水が注入される開口部１０３と連通するようにしている。
【００３７】
第１仕切部１０６及び第２仕切部１０７は熱溶着により形成される。このような袋は、例えば断面が筒状（円筒状）のポリエチレン製シートの長尺のものを使用する。吹流し状態のシートの筒面に、両側から突き棒（又は突き板）を当てて、相対向する筒面が相互に近づくように折り込み、谷折り部１０２,１０２を形成する。谷折り部１０２,１０２が形成されたシートは巻き取り装置に一旦巻き取られる。その後実施例１と同様に、型によって筒状部の所定の溶着箇所を溶着し、シートを搬送し、さらに次の溶着をして、搬送・溶着を繰り返した後、一旦巻き取り、その後所定寸法に切断する工程を経ることにより形成できる。
【００３８】
図１６は鮮度保持用袋１０１の使用例を示す図である。袋本体１０４の開口部１０３から水を入れる。その際、第１仕切部１０６は水を注水する際の水量の目安位置を示し、一定量の水が入れ易い。次に、開口部１０３側から複数本の花き類の茎端部３が挿入され、茎端部３は第１仕切部１０６に当接し止まる。花き類の茎端部３を挿入の際にどこまで挿入すればよいか位置が決め易い。
【００３９】
そして、第１仕切部１０６（Ｘ−Ｘ線）を折り目として袋本体１０４の水収容部１０９側を折り返す。袋本体１０４の水収容部１０９側が折り返され、連通孔１０５,１０５を介し袋本体１０４中央側、すなわち開口部１０３側（第１領域）に水が移動することになり、水深が半分となる。なお、水を入れすぎた場合は、折り返したときに開口部１０３から捨てればよい。第１仕切部１０６は折り返され、袋本体１０４の第１仕切部１０６が水収容底部となり、袋本体１０４の開口部１０３側（第１領域）と反対側（第２領域）とにまたがって水が収容され、シートの腹面で水を受けることになる。折り返された状態では第２仕切部１０７は水収容底部ではなくなる。次に、折り返された状態で袋本体１０４の重ね合わされた両端部をゴム紐などの結束部材１１２で結束する。結束位置は折り返された状態における袋内の水の位置の上方とするのが望ましい。
【００４０】
このように、谷折り部１０２を有し袋本体１０４を形成することにより、水を入れた場合に谷折り部１０２が拡がり、水収容部１０９の収容空間が拡がり、水量を多く入れることができ、吸水時間を長く維持でき鮮度保持期間を長くすることができるとともに、切り花の本数も増やすことができ、ギフト用の花束などの包装に好適となる。
【００４１】
なお、図１６において、折り返された状態で袋本体１０４の両端の開口部あたりを花き類の茎と一緒に、不織布などの吸水部材１１３で包むように巻いて被覆するようにしている。吸水部材１１３で巻いた後ゴム紐など結束するとよい。花束が傾けられたりした場合に、吸水部材１１３で水を吸収し、袋本体１０４の開口部から水が逆流するのを防ぐようにできる。花束は横又は斜めの状態とされる場合もあり、その場合茎を伝わって水の逆流が発生することも起こり得るが、吸水部材１１３によりある程度逆流を防ぐことができる。なお、花束を作った際に、予め茎の所定位置を吸水部材で巻いた状態とし、その状態で鮮度保持容用袋１０１に茎端部を挿入するようにしてもよい。その場合、被覆した部分が太くなるので、袋本体１０４の茎端部挿入用の開口部１０３が、それに見合った大きさになるように袋本体１０４の寸法を考慮すればよい。
【００４２】
また、図１７に示すように、花き類の切り茎を不織布などの吸水部材１１４で包むように巻いた状態（吸水部材１１４で巻いた後ゴム紐など結束するとよい）とし、その状態で袋本体１０４内に挿入して、使用してもよい。袋内に貯留された水が少なくなった場合において、吸水部材１１４によって保水効果が維持される。
【００４３】
（変形例４）
図１８は実施例３の鮮度保持用袋の変形例を示す。図１８（ａ）は、実施例３に次のような変形を加えている。鮮度保持用袋１２１は、第１仕切部１０６の花き類の茎端部３が挿入される開口部１０３側とは反対側の袋本体１０４の端部において端部開口を塞ぐように第１仕切部１０６とほぼ平行に設けられた第３仕切部１２８を有する。そして、実施例３における第２仕切部１０７を設けていない。従って、水収容部１２９は袋本体１０４の下部に位置する。なお、図１８（ａ）において、図１４と同一の機能を有する部分には同一の符号を付して説明を省略する。第１仕切部１０６を折り目として袋本体１０４の水収容部１２９側を折り返して使用される。このように構成してもよい。
【００４４】
図１８（ｂ）において、鮮度保持用袋１３１は、第２仕切部１０７の花き類が挿入される開口部１０３側とは反対側の袋本体１０４の端部において端部開口を塞ぐように、かつ第２仕切部１０７との間で閉空間部１４０を形成するように設けられた第３仕切部１３８を有する。水収容部１０９が袋本体１０４の中間位置に設けられるのは実施例３と同様である。なお、図１８（ｂ）において、図１４と同一の機能を有する部分には同一の符号を付して説明を省略する。第３仕切部１３８を設けることにより、鮮度保持用袋１３１の下端が閉じられ見栄えがよくなるとともに、水収容部１０９の底部となる第２仕切部１０７から万一水漏れした場合にも閉空間部１４０に水は貯留され外部への水の流出を防ぐことができる。
【００４５】
（変形例５）
図１９は実施例３の鮮度保持用袋の他の変形例を示す。図１９は、実施例３に次のような変形を加えている。鮮度保持用袋１４１は、袋本体１０４の長手方向の中央部に花き類の茎端部３が挿入される方向と交差するようにして、かつ中央に連通孔１４５を有し第１仕切部１４６が設けられている。この第１仕切部１４６と平行に第２仕切部１０７が形成され、第１仕切部１４６と第２仕切部１０７とによって水収容部１４９を袋本体１０４の中間位置に形成している。なお、図１９において、図１４と同一の機能を有する部分には同一の符号を付して説明を省略する。このように連通孔１４５を有する構成してもよい。第１仕切部１４６を折り目として袋本体１０４の水収容部１４９側を折り返して使用される。
【００４６】
（変形例６）
図２０〜図２１は実施例３の鮮度保持用袋のさらに他の変形例を示す。図２０は実施例３に次のような変形を加えている。鮮度保持用袋１５１は、袋本体１０４の下端部の開口を塞ぐように第１仕切部１０６とほぼ平行に設けられた第３仕切部１５８と、袋本体１０４の上端部の開口を塞ぐように第１仕切部１０６とほぼ平行に設けられた第４仕切部１５２と、この第４仕切部１５２から袋本体１０４の長手方向中央寄りに離間して第１仕切部１０６とほぼ平行に袋本体１０４の片面に設けられ、花き類の茎端部の挿入口を形成するミシン目線１５３とを有する。図２１は図２０のＨ−Ｈ断面図を示し、このミシン目１５３を破り開口することにより直線状の花き類茎端部の挿入口１５３ａが形成される。なお、図２０及び図２１において、図１３及び図１５と同一の機能を有する部分には同一の符号を付して説明を省略する。第３仕切部１５８と第４仕切部１５２を設けることにより、鮮度保持用袋１５１の下端及び上端の見栄えをよくするとともに、袋本体１０４の片面に設けた挿入口１５３ａから花き類の茎端部を差し込むようにしたので、差し込みの際に袋本体１０４の表面がガイドとなって差し込みがし易くなる。
【００４７】
なお、鮮度保持用袋に、例えば「水が入っているので逆さにしないようにしてください。」などの注意書きやプラスチック製品の表示マークを印刷してもよい。また、袋の水収容部にあたる箇所をブルー色に着色（或いは印刷）してもよい。
【図面の簡単な説明】
【００４８】
【図１】本発明の鮮度保持用袋の正面図。
【図２】図１の縦断面図。
【図３】図１のＡ−Ａ断面図及びＢ−Ｂ断面図。
【図４】鮮度保持用袋の使用例を示す説明図。
【図５】第２実施例の鮮度保持用袋の正面図。
【図６】図５の縦断面図。
【図７】図５のＣ−Ｃ断面図及びＤ−Ｄ断面図。
【図８】図５の鮮度保持用袋に水を入れる場合の説明図。
【図９】鮮度保持用袋の変形例を示す縦断面図。
【図１０】鮮度保持用袋の他の変形例を示す縦断面図。
【図１１】鮮度保持用袋のさらに他の変形例を示す正面図。
【図１２】図１１のＥ−Ｅ断面図。
【図１３】第３実施例の鮮度保持用袋の正面図。
【図１４】図１３の縦断面図。
【図１５】図１３のＦ−Ｆ断面図及びＧ−Ｇ断面図。
【図１６】図１３の鮮度保持用袋の使用例を示す説明図。
【図１７】図１３の鮮度保持用袋の他の使用例を示す説明図。
【図１８】図１３の鮮度保持用袋の変形例を示す縦断面図。
【図１９】図１３の鮮度保持用袋の他の変形例を示す縦断面図。
【図２０】図１３の鮮度保持用袋のさらに他の変形例を示す正面図。
【図２１】図２０のＨ−Ｈ断面図。
【符号の説明】
【００４９】
１,２１,４１,５１,６１,７１,８１,１０１,１２１,１３１,１４１,１５１    鮮度保持用袋
２,１０３  開口部
４,１０４  袋本体
５,７５,１０５,１４５  連通孔（連通部：第１連通部、第２連通部）
６,７６,１０６,１４６  第１仕切部（仕切部）
７,２７,１０７  第２仕切部（閉鎖部）
９,２９,７９,１０９,１４９  水収容部（水のポケット部）
１２,１１２  結束部材
２７ａ  中底部
２７ｂ  側仕切部
３０  連通路
３１  開口部
３２  袋吊下げ用孔
４８,５８,６８,８８,１２８,１３８  第３仕切部（端部仕切部）
６０,７０,１４０  閉空間部
６８ａ  底部
６８ｂ  側仕切部
１０２  谷折り部
１１３  吸水部材
１１４  吸水部材
【図１】
2006044722.tif 000003
【図２】
2006044722.tif 000004
【図３】
2006044722.tif 000005
【図４】
2006044722.tif 000006
【図５】
2006044722.tif 000007
【図６】
2006044722.tif 000008
【図７】
2006044722.tif 000009
【図８】
2006044722.tif 000010
【図９】
2006044722.tif 000011
【図１０】
2006044722.tif 000012
【図１１】
2006044722.tif 000013
【図１２】
2006044722.tif 000014
【図１３】
2006044722.tif 000015
【図１４】
2006044722.tif 000016
【図１５】
2006044722.tif 000017
【図１６】
2006044722.tif 000018
【図１７】
2006044722.tif 000019
【図１８】
2006044722.tif 000020
【図１９】
2006044722.tif 000021
【図２０】
2006044722.tif 000022
【図２１】
2006044722.tif 000023